(57)【要約】【課題】電子機器のコストダウンと、ユニットの防振性の確保とが目的である。【解決手段】電子機器１０のシャーシ２０は、シャーシ本体２４を有しており、このシャーシ本体２４には、一対の側方支持部３４，３６が形成されている。一対の側方支持部３４，３６における高さ方向の端部には、切欠部３８，４０が形成されている。一対の側方支持部３４の間には、シャーシ本体２４に搭載されたＨＤＤユニット２３が配置される。ＨＤＤユニット２３には、防振ゴム８４，８６が設けられており、この防振ゴム８４，８６は、切欠部３８，４０と嵌合される。【選択図】図２
2014211932.tif 000002
【特許請求の範囲】
【請求項１】
シャーシ本体と、前記シャーシ本体に形成された一対の側方支持部と、前記一対の側方支持部における高さ方向の端部に形成された切欠部とを有するシャーシと、
前記一対の側方支持部の間に配置され、前記シャーシ本体に搭載されたユニットと、
前記ユニットに設けられ、前記切欠部と嵌合された防振部材と、
を備えた電子機器。
【請求項２】
前記シャーシは、スタンドに設けられたヒンジパネルと結合されたヒンジ固定用パネルを有し、
前記ヒンジ固定用パネルは、前記ユニットを前記シャーシ本体と反対側から支持している、
請求項１に記載の電子機器。
【請求項３】
前記シャーシは、前記一対の側方支持部のうち一方の側方支持部を他方の側方支持部と反対側から支持する補強部材を有している、
請求項２に記載の電子機器。
【請求項４】
前記シャーシは、前記補強部材としての第一補強部材と、前記一対の側方支持部のうち他方の側方支持部を一方の側方支持部と反対側から支持する第二補強部材とを有し、
前記ヒンジ固定用パネルは、前記第一補強部材及び前記第二補強部材に固定されている、
請求項３に記載の電子機器。
【請求項５】
シャーシ本体と、
前記シャーシ本体に形成され、前記シャーシ本体に搭載されるユニットの両側に配置される一対の側方支持部と、
前記一対の側方支持部における高さ方向の端部に形成された切欠部と、
を備えた電子機器のシャーシ。
【発明の詳細な説明】
【技術分野】
【０００１】
本願の開示する技術は、電子機器、及び、電子機器のシャーシに関する。
【背景技術】
【０００２】
従来、シャーシと、このシャーシにブラケット等の中間部材を介して固定されたユニットとを備えた電子機器が知られている。
【先行技術文献】
【特許文献】
【０００３】
【特許文献１】特開２０１２−１２８７８３号公報
【特許文献２】特開２００５−２２８４０７号公報
【特許文献３】特開２００３−２７２３７１号公報
【発明の概要】
【発明が解決しようとする課題】
【０００４】
このような電子機器では、ユニットがブラケット等の中間部材を介してシャーシに固定されるので、部品点数及び組立工数の増加によりコストアップとなる。また、このような電子機器では、ユニットの防振性を確保することが望まれる場合がある。
【０００５】
そこで、本願の開示する技術は、一つの側面として、電子機器のコストダウンと、ユニットの防振性の確保とを目的とする。
【課題を解決するための手段】
【０００６】
上記目的を達成するために、本願の開示する技術によれば、シャーシを備えた電子機器が提供される。シャーシは、シャーシ本体を有しており、このシャーシ本体には、一対の側方支持部が形成されている。一対の側方支持部における高さ方向の端部には、切欠部が形成されている。一対の側方支持部の間には、シャーシ本体に搭載されたユニットが配置される。ユニットには、防振部材が設けられており、この防振部材は、切欠部と嵌合されている。
【発明の効果】
【０００７】
本願の開示する技術によれば、電子機器をコストダウンすることができると共に、ユニットの防振性を確保することができる。
【図面の簡単な説明】
【０００８】
【図１】電子機器の分解斜視図である。
【図２】シャーシユニットの分解斜視図である。
【図３】シャーシの分解斜視図である。
【図４】シャーシの斜視図である。
【図５】図４のＡ部拡大図である。
【図６】ユニットアッセンブリの分解斜視図である。
【図７】シャーシユニットの縦断面図である。
【発明を実施するための形態】
【０００９】
以下、本願の開示する技術の一実施形態を説明する。
【００１０】
図１に示されるように、本実施形態に係る電子機器１０は、表示器一体型のパーソナルコンピュータとされている。この電子機器１０は、表示ユニット１１、フロントパネル１２、シャーシユニット１３、リアカバー１４、及び、スタンド１５を備えている。
【００１１】
表示ユニット１１は、四角形のパネル状に形成されており、フロントパネル１２は、表示ユニット１１の外周部に沿う四角形の枠状に形成されている。
【００１２】
シャーシユニット１３は、板金製のシャーシ２０と、光ディスクドライブユニット２１（以下、略してＯＤＤユニット２１と称する）と、制御基板２２と、ハードディスクドライブユニット２３（以下、略してＨＤＤユニット２３と称する）等を有している。ＯＤＤユニット２１、制御基板２２、及び、ＨＤＤユニット２３は、シャーシ２０の本体部を形成するシャーシ本体２４にそれぞれ搭載されている。リアカバー１４は、シャーシ２０を収容し得る長方形の平皿状に形成されている。
【００１３】
シャーシ２０は、リアカバー１４に固定され、表示ユニット１１は、シャーシ２０に対するリアカバー１４側と反対側からシャーシ２０に固定される。また、フロントパネル１２は、表示ユニット１１に対するリアカバー１４側と反対側からリアカバー１４に固定される。
【００１４】
スタンド１５は、ベースパネル２５と、支柱２６と、ヒンジ部２７と、ヒンジパネル２８とを有している。支柱２６の下端は、ベースパネル２５に固定されており、ヒンジパネル２８は、ヒンジ部２７を介して支柱２６の上端に取り付けられている。このヒンジパネル２８は、リアカバー１４に形成された開口を通じてシャーシ２０に設けられた後述のヒンジ固定用パネル３０に結合される。
【００１５】
また、この電子機器１０は、より具体的には、次のように構成されている。すなわち、図２に示されるように、シャーシ２０の本体部を形成するシャーシ本体２４は、板状に形成されている。このシャーシ本体２４の略中央部には、ユニットの一例であるＨＤＤユニット２３を搭載するための搭載領域３２が確保されている。
【００１６】
図３，図４に示されるように、搭載領域３２におけるシャーシ本体２４の縦方向（矢印Ｌ方向）の両側には、シャーシ２０の板金加工時にシャーシ２０の一部が切り起こされることにより形成された一対の側方支持部３４，３６が形成されている。この一対の側方支持部３４，３６は、シャーシ本体２４に対して起立されており、シャーシ本体２４の縦方向に対向している。また、この一対の側方支持部３４，３６は、シャーシ本体２４の横方向（矢印Ｃ方向）に沿って延びている。
【００１７】
一方の側方支持部３４の長手方向の両端側には、切欠部３８がそれぞれ形成されている。この切欠部３８は、一方の側方支持部３４における高さ方向の端部（上端部）に形成されており、一方の側方支持部３４における高さ方向の上側に開口している。
【００１８】
同様に、他方の側方支持部３６の長手方向の両端側には、切欠部４０がそれぞれ形成されている。この切欠部４０は、他方の側方支持部３６における高さ方向の端部（上端部）に形成されており、他方の側方支持部３６における高さ方向の上側に開口している。各切欠部３８，４０は、一対の側方支持部３４，３６の対向方向に沿って見た場合にＵ字状を成している。
【００１９】
また、一方の側方支持部３４には、第一バネ部４２が形成されている。この第一バネ部４２は、一対の切欠部３８の間に位置している。この第一バネ部４２は、一方の側方支持部３４の長手方向に延びる片持ち片により形成されている。第一バネ部４２における長手方向一方側の端部は、一方の側方支持部３４における一方の切欠部３８側の部位に接続されており、第一バネ部４２における長手方向他方側の端部は、自由端とされている。この第一バネ部４２は、その自由端側に向かうに従って他方の側方支持部３６の側に向かうように一方の側方支持部３４に対して傾斜して形成されている。
【００２０】
同様に、他方の側方支持部３６には、第二バネ部４４が形成されている。この第二バネ部４４は、一対の切欠部４０の間に位置している。この第二バネ部４４は、他方の側方支持部３６の長手方向に延びる片持ち片により形成されている。第二バネ部４４における長手方向一方側の端部は、他方の側方支持部３６における一方の切欠部４０側の部位に接続されており、第二バネ部４４における長手方向他方側の端部は、自由端とされている。この第二バネ部４４は、その自由端側に向かうに従って一方の側方支持部３４の側に向かうように他方の側方支持部３６に対して傾斜して形成されている。
【００２１】
なお、一対の側方支持部３４，３６の一方の側（矢印Ｌ１側）は、電子機器１０（図１参照）が正規の状態で設置された場合の鉛直方向下側とされる。他方の側方支持部３６に対する第二バネ部４４の突出高さは、一方の側方支持部３４に対する第一バネ部４２の突出高さに比して高くなっている。
【００２２】
また、一方の側方支持部３４には、一対の取付片４６が形成されている。一対の取付片４６は、一方の側方支持部３４に対して折り曲げられており、一方の側方支持部３４の高さ方向（矢印Ｔ方向）を板厚方向として形成されている。
【００２３】
さらに、一方の側方支持部３４には、一対のガイド部４８が形成されており、他方の側方支持部３６には、一対のガイド部５０が形成されている。各ガイド部４８，５０は、側方支持部の高さ方向（矢印Ｔ方向）を長手方向として延びている。また、一方の側方支持部３４に形成された一対のガイド部４８は、他方の側方支持部３６の側に突出するアーチ状に形成されており、他方の側方支持部３６に形成された一対のガイド部５０は、一方の側方支持部３４の側に突出するアーチ状に形成されている。
【００２４】
一方の側方支持部３４に対するガイド部４８の突出高さは、第一バネ部４２の突出高さよりも低くなっている。同様に、他方の側方支持部３６に対するガイド部５０の突出高さは、第二バネ部４４の突出高さよりも低くなっている。
【００２５】
また、図４に示されるように、シャーシ２０は、第一補強部材５２及び第二補強部材５４を有している。第一補強部材５２は、複数のビス５６（図３参照）によりシャーシ本体２４に固定されている。補強部材の一例である第一補強部材５２は、第一補強部６０及び第二補強部６２を有しており、平面視にて概略Ｌ字状に形成されている。
【００２６】
第一補強部６０は、一方の側方支持部３４に対する他方の側方支持部３６と反対側に配置されると共に、一方の側方支持部３４に沿って延びている。第二補強部６２は、第一補強部６０の長手方向の一端側から一対の側方支持部３４，３６の対向方向に沿って延びている。
【００２７】
第一補強部６０は、下壁部６４、側壁部６５、及び、上壁部６６を有している。下壁部６４は、シャーシ本体２４に重ね合わされており、側壁部６５は、上壁部６６及び下壁部６４における一方の側方支持部３４側の端部同士を連結している。また、上壁部６６は、側壁部６５の高さ方向に下壁部６４と対向している。
【００２８】
また、第一補強部６０は、一方の側方支持部３４と離間して設けられている。第一補強部６０の側壁部６５には、一方の側方支持部３４に向けて延出する一対の延出部６８が形成されている。この一対の延出部６８は、第一補強部６０の長手方向に離間して形成されている。また、一対の延出部６８は、いずれも第一補強部６０の長手方向を板厚方向として形成されている。
【００２９】
各延出部６８の先端部には、側方支持部の高さ方向を板厚方向する結合片７０が形成されている（図５も参照）。各結合片７０には、取付片４６が重ね合わされており、この結合片７０及び取付片４６は、ネジ７２により固定されている。そして、このようにして結合片７０及び取付片４６が結合されることにより、一方の側方支持部３４は、延出部６８によって他方の側方支持部３６と反対側から支持されている。
【００３０】
第二補強部材５４は、第一補強部材５２と同様に、複数のビスによりシャーシ本体２４に固定されている。この第二補強部材５４は、他方の側方支持部３６に対する一方の側方支持部３４と反対側に配置されている。この第二補強部材５４は、第一補強部６０の長手方向に第二補強部６２と離間しており、且つ、第二補強部６２の長手方向に沿って延びている。
【００３１】
第二補強部材５４は、下壁部７４、側壁部７５、及び、上壁部７６を有している。下壁部７４は、シャーシ本体２４に重ね合わされており、側壁部７５は、上壁部７６及び下壁部７４における一方の端部同士を連結している。また、上壁部７６は、側壁部７５の高さ方向に下壁部７４と対向している。この第二補強部材５４は、他方の側方支持部３６に対する一方の側方支持部３４と反対側から他方の側方支持部３６に当接されている。そして、この第二補強部材５４は、他方の側方支持部３６を一方の側方支持部３４と反対側から支持している。
【００３２】
図６に示されるように、ＨＤＤユニット２３は、薄型の直方体により形成されている。このＨＤＤユニット２３における両側一対の側面２３Ａ，２３Ｂには、ネジ穴８２が形成されている。複数の防振ゴム８４，８６は、防振部材の一例であり、円環状に形成されている。そして、この防振ゴム８４，８６の内側にネジ８８が挿入されると共に、このネジ８８の先端部がネジ穴８２に螺入されることにより、防振ゴム８４，８６は、ＨＤＤユニット２３の側面２３Ａ，２３Ｂにそれぞれ取り付けられている。このようにして複数の防振ゴム８４，８６が取り付けられたＨＤＤユニット２３は、複数の防振ゴム８４，８６と共にハードディスクドライブユニットアッセンブリ９０を形成している。
【００３３】
そして、ＨＤＤユニット２３は、図７に示されるように、一対の側方支持部３４，３６の間に配置されて、シャーシ本体２４の搭載領域３２に搭載される。また、複数の防振ゴム８４，８６は、複数の切欠部３８，４０の各々と嵌合される。また、このようにしてＨＤＤユニット２３がシャーシ本体２４に搭載されると、ＨＤＤユニット２３は、第一バネ部４２によって他方の側方支持部３６の側に弾性支持されると共に、第二バネ部４４によって一方の側方支持部３４の側に弾性支持される。また、ＨＤＤユニット２３の筐体９２は、金属製とされており、第一バネ部４２及び第二バネ部４４は、筐体９２と接触している。これにより、筐体９２は、第一バネ部４２及び第二バネ部４４を介してシャーシ本体２４と導通（短絡）している。
【００３４】
ヒンジ固定用パネル３０は、上述のように、スタンド１５に設けられたヒンジパネル２８（図１参照）と結合されるものである。このヒンジ固定用パネル３０は、平面視にてＨＤＤユニット２３と略同様の四角形状を成している。図７に示されるように、このヒンジ固定用パネル３０は、ＨＤＤユニット２３に対するシャーシ本体２４と反対側からＨＤＤユニット２３に重ね合わされる。
【００３５】
また、ヒンジ固定用パネル３０における横幅方向（矢印Ｌ方向）の一方側には、延長部９４が形成されている。この延長部９４は、一方の側方支持部３４に対する他方の側方支持部３６と反対側に延びており、第一補強部６０の上壁部６６と重ね合わされている。延長部９４及び上壁部６６は、第一補強部６０における長手方向両端側の位置にてネジ９６により結合されている（図２も参照）。
【００３６】
また、ヒンジ固定用パネル３０における横幅方向の他方側には、一対のフランジ９８が形成されている。第二補強部６２及び第二補強部材５４には、一対のフランジ９８と対応する位置に結合片１００（図４参照）がそれぞれ形成されており、一対のフランジ９８は、結合片１００とそれぞれ重ね合わされている。そして、この一対のフランジ９８及び結合片１００は、ネジ１０２により結合されている。
【００３７】
また、このようにしてヒンジ固定用パネル３０が第一補強部材５２及び第二補強部材５４に固定された状態では、ＨＤＤシャーシ２０が、図７に示されるように、シャーシ本体２４と反対側からヒンジ固定用パネル３０によって支持される。また、ヒンジ固定用パネル３０の裏面には、弾性部材の一例である防振スポンジ１０６が貼り付けられている。そして、ヒンジ固定用パネル３０が第一補強部材５２及び第二補強部材５４に固定された状態では、防振スポンジ１０６が、ヒンジ固定用パネル３０とＨＤＤユニット２３との間に介在される。
【００３８】
さらに、上述の一方の側方支持部３４と第一補強部６０との間には、制御基板２２（図１参照）から延びるケーブル１０８が配索されている（図２，図５も参照）。延出部６８には、ケーブル１０８が挿通される切欠状の開口部１１０が形成されている。開口部１１０は、上述の切欠部３８，４０と同じ方向に開口している。また、図７に示されるように、ヒンジ固定用パネル３０に形成された延長部９４、一方の側方支持部３４、及び、第一補強部６０の側壁部６５は、ケーブル１０８を覆うシールド部１１２を形成している。
【００３９】
次に、本実施形態の作用及び効果について説明する。
【００４０】
以上詳述したように、本実施形態によれば、シャーシ本体２４には、一対の側方支持部３４，３６が形成されており、この一対の側方支持部３４，３６における高さ方向の端部には、切欠部３８，４０が形成されている。また、ＨＤＤユニット２３には、防振ゴム８４，８６が取り付けられており、この防振ゴム８４，８６が切欠部３８，４０と嵌合されることにより、ＨＤＤユニット２３は、シャーシ２０に取り付けられている。従って、ＨＤＤユニット２３をシャーシ２０に取り付けるためのブラケット等の中間部材が不要になるので、部品点数及び組立工数を削減することができる。これにより、電子機器１０をコストダウンすることができる。
【００４１】
しかも、上述のように、ＨＤＤユニット２３には、複数の防振ゴム８４，８６が取り付けられており、この複数の防振ゴム８４，８６が切欠部３８，４０と嵌合されることにより、ＨＤＤユニット２３は、シャーシ２０に取り付けられている。従って、ＨＤＤユニット２３をシャーシ２０に弾性支持することができるので、ＨＤＤユニット２３の防振性も確保することができる。
【００４２】
また、シャーシ２０は、スタンド１５に設けられたヒンジパネル２８（図１参照）と結合されるヒンジ固定用パネル３０を有しており、このヒンジ固定用パネル３０は、ＨＤＤユニット２３をシャーシ本体２４と反対側から支持している。従って、シャーシ２０からのＨＤＤユニット２３の脱落を抑制することができる。また、ＨＤＤユニット２３をシャーシ２０に固定するためにヒンジ固定用パネル３０を用いているので、部品点数の増加を抑制することができる。
【００４３】
また、図７に示されるように、ヒンジ固定用パネル３０とＨＤＤユニット２３との間には、防振スポンジ１０６が介在されている。従って、ＨＤＤユニット２３の防振性を確保することができる。
【００４４】
また、図２に示されるように、シャーシ２０は、一方の側方支持部３４を他方の側方支持部３６と反対側から支持する第一補強部材５２と、他方の側方支持部３６を一方の側方支持部３４と反対側から支持する第二補強部材５４とを有している。従って、一対の側方支持部３４，３６の支持剛性を高めることができるので、この一対の側方支持部３４，３６の倒れ変形を抑制することができる。これにより、ＨＤＤユニット２３をシャーシ２０にしっかりと固定することができる。
【００４５】
特に、第一補強部材５２には、一方の側方支持部３４に向けて延出する複数の延出部６８が形成されており、一方の側方支持部３４は、この複数の延出部６８により支持されている（図５も参照）。従って、シャーシ２０に縦方向（矢印Ｌ方向）に衝撃が加わった場合でも、一方の側方支持部３４の倒れ変形を抑制することができる。
【００４６】
また、図２に示されるように、上述のヒンジ固定用パネル３０は、第一補強部材５２及び第二補強部材５４に固定される。従って、ヒンジ固定用パネル３０の支持剛性を高めることができる。また、ヒンジ固定用パネル３０は、図１に示されるヒンジパネル２８と結合される剛性（強度）の高い部材とされている。従って、このヒンジ固定用パネル３０により第一補強部材５２及び第二補強部材５４の剛性を高めることができ、ひいては、一対の側方支持部３４，３６の支持剛性も高めることができる。
【００４７】
また、第一補強部材５２は、一方の側方支持部３４に沿って延びる第一補強部６０と、一対の側方支持部３４，３６の対向方向に沿って延びる第二補強部６２とを有する平面視にてＬ字状に形成されている。従って、このＬ字状を成す第一補強部６０及び第二補強部６２により第一補強部材５２自体の剛性も高めることができる。
【００４８】
また、第一補強部６０は、一方の側方支持部３４と離間して設けられており、この一方の側方支持部３４と第一補強部６０との間には、ケーブル１０８が配索されている。従って、ケーブル１０８を真っ直ぐに配索させることができるので、ケーブル１０８の長さを短くすることができ、ひいては、コストダウンを図ることができる。
【００４９】
しかも、ヒンジ固定用パネル３０の延長部９４、一方の側方支持部３４、及び、第一補強部６０の側壁部６５は、ケーブル１０８を覆うシールド部１１２を形成している。従って、ケーブル１０８のシールド性を確保することができる。
【００５０】
また、一方の側方支持部３４には、第一バネ部４２が形成されており、他方の側方支持部３６には、第二バネ部４４が形成されている。そして、ＨＤＤユニット２３は、第一バネ部４２により他方の側方支持部３６の側に弾性支持されると共に、第二バネ部４４により一方の側方支持部３４の側に弾性支持される。従って、この第一バネ部４２及び第二バネ部４４によりＨＤＤユニット２３をシャーシ２０の縦方向における正しい位置に位置決めすることができる。
【００５１】
また、一方の側方支持部３４の側（矢印Ｌ１側）は、図１に示される電子機器１０が正規の状態で設置された場合の鉛直方向下側とされる。ところが、他方の側方支持部３６に対する第二バネ部４４の突出高さは、一方の側方支持部３４に対する第一バネ部４２の突出高さに比して高くなっている。従って、ＨＤＤユニット２３に重力が作用した場合でも、ＨＤＤユニット２３からの第二バネ部４４の離間を抑制して、ＨＤＤユニット２３をシャーシ２０の縦方向における正しい位置に位置決めすることができる。
【００５２】
また、第一バネ部４２及び第二バネ部４４は、ＨＤＤユニット２３の金属製の筐体９２と接触しており、筐体９２とシャーシ本体２４とを短絡させる短絡片としての機能も有している。従って、部品点数の増加を抑制することができる。
【００５３】
次に、本実施形態の変形例について説明する。
【００５４】
本実施形態において、電子機器１０は、一例として、表示器一体型のパーソナルコンピュータとされていた。しかしながら、電子機器１０は、表示器一体型のパーソナルコンピュータ以外の電子機器とされていても良い。
【００５５】
また、シャーシ本体２４には、ユニットの一例として、ＨＤＤユニット２３が搭載されていた。しかしながら、シャーシ本体２４には、ＨＤＤユニット２３の代わりに他のユニット（例えば、バッテリユニット等）が搭載されても良い。
【００５６】
また、ＨＤＤユニット２３には、防振部材の一例として防振ゴム８４，８６が取り付けられていた。しかしながら、ＨＤＤユニット２３には、防振ゴム８４，８６以外の防振部材が取り付けられても良い。
【００５７】
また、ヒンジ固定用パネル３０とＨＤＤユニット２３との間には、弾性部材の一例として、防振スポンジ１０６が介在されていた。しかしながら、ヒンジ固定用パネル３０とＨＤＤユニット２３との間には、防振スポンジ１０６以外の弾性部材が介在されていても良い。
【００５８】
また、上記複数の変形例は、適宜、組み合わされて実施されても良い。
【００５９】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００６０】
なお、上述の本願の開示する技術の一態様に関し、更に以下の付記を開示する。
【００６１】
（付記１）
シャーシ本体と、前記シャーシ本体に形成された一対の側方支持部と、前記一対の側方支持部における高さ方向の端部に形成された切欠部とを有するシャーシと、
前記一対の側方支持部の間に配置され、前記シャーシ本体に搭載されたユニットと、
前記ユニットに設けられ、前記切欠部と嵌合された防振部材と、
を備えた電子機器。
（付記２）
前記シャーシは、スタンドに設けられたヒンジパネルと結合されたヒンジ固定用パネルを有し、
前記ヒンジ固定用パネルは、前記ユニットを前記シャーシ本体と反対側から支持している、
付記１に記載の電子機器。
（付記３）
前記ヒンジ固定用パネルと前記ユニットとの間には、弾性部材が介在されている、
付記２に記載の電子機器。
（付記４）
前記シャーシは、前記一対の側方支持部のうち一方の側方支持部を他方の側方支持部と反対側から支持する補強部材を有している、
付記２又は付記３に記載の電子機器。
（付記５）
前記シャーシは、前記補強部材としての第一補強部材と、前記一対の側方支持部のうち他方の側方支持部を一方の側方支持部と反対側から支持する第二補強部材とを有し、
前記ヒンジ固定用パネルは、前記第一補強部材及び前記第二補強部材に固定されている、
付記４に記載の電子機器。
（付記６）
前記第一補強部材は、前記一方の側方支持部に対する前記他方の側方支持部と反対側に配置されると共に、前記一方の側方支持部に沿って延びる第一補強部と、前記第一補強部の長手方向の一端側から前記一対の側方支持部の対向方向に沿って延びる第二補強部とを有する平面視にてＬ字状に形成され、
前記第二補強部材は、前記他方の側方支持部に対する前記一方の側方支持部と反対側に配置されると共に、前記第一補強部の長手方向に前記第二補強部と離間し、且つ、前記第二補強部の長手方向に沿って延びている、
付記５に記載の電子機器。
（付記７）
前記第一補強部は、前記一方の側方支持部と離間して設けられ、
前記第一補強部には、前記一方の側方支持部に向けて延出されて前記一方の側方支持部を支持する延出部が形成されている、
付記６に記載の電子機器。
（付記８）
前記第一補強部には、前記第一補強部の長手方向に離間する複数の箇所に前記延出部が形成されている、
付記７に記載の電子機器。
（付記９）
前記一方の側方支持部と前記第一補強部との間には、ケーブルが配索されている、
付記７又は付記８に記載の電子機器。
（付記１０）
前記延出部には、前記ケーブルが挿通される開口部が形成されている、
付記９に記載の電子機器。
（付記１１）
前記ヒンジ固定用パネル、前記一方の側方支持部、及び、前記第一補強部は、前記ケーブルを覆うシールド部を形成している、
付記９又は付記１０に記載の電子機器。
（付記１２）
前記一対の側方支持部の一方の側は、前記電子機器が正規の状態で設置された場合の鉛直方向下側とされる、
付記４〜付記１１のいずれか一項に記載の電子機器。
（付記１３）
前記一対の側方支持部の一方には、前記ユニットを前記一対の側方支持部の他方の側に弾性支持する第一バネ部が形成され、
前記一対の側方支持部の他方には、前記ユニットを前記一対の側方支持部の一方の側に弾性支持する第二バネ部が形成されている、
付記１〜付記１２のいずれか一項に記載の電子機器。
（付記１４）
前記一対の側方支持部の一方の側は、前記電子機器が正規の状態で設置された場合の鉛直方向下側とされ、
前記他方の側方支持部に対する前記第二バネ部の突出高さは、前記一方の側方支持部に対する前記第一バネ部の突出高さに比して高くなっている、
付記１３に記載の電子機器。
（付記１５）
前記第一バネ部及び前記第二バネ部は、前記ユニットの金属製の筐体と接触している、
付記１３又は付記１４に記載の電子機器。
（付記１６）
前記ユニットは、ハードディスクドライブユニットである、
付記１〜付記１５のいずれか一項に記載の電子機器。
（付記１７）
前記一対の側方支持部は、板金加工により前記シャーシ本体に一体に形成されている、
付記１〜付記１６のいずれか一項に記載の電子機器。
（付記１８）
前記防振部材は、前記ユニットにおける両側一対の側面に取り付けられた防振ゴムである、
付記１〜付記１７のいずれか一項に記載の電子機器。
（付記１９）
シャーシ本体と、
前記シャーシ本体に形成され、前記シャーシ本体に搭載されるユニットの両側に配置される一対の側方支持部と、
前記一対の側方支持部における高さ方向の端部に形成された切欠部と、
を備えた電子機器のシャーシ。
（付記２０）
スタンドに設けられたヒンジパネルと結合され、前記ユニットを前記シャーシ本体と反対側から支持するヒンジ固定用パネルをさらに備えた、
付記１９に記載の電子機器のシャーシ。
（付記２１）
前記一対の側方支持部のうち一方の側方支持部を他方の側方支持部と反対側から支持する補強部材をさらに備えた、
付記２０に記載の電子機器のシャーシ。
（付記２２）
前記補強部材としての第一補強部材と、前記一対の側方支持部のうち他方の側方支持部を一方の側方支持部と反対側から支持する第二補強部材とを備えた、
付記２１に記載の電子機器のシャーシ。
（付記２３）
前記第一補強部材は、前記一方の側方支持部に対する前記他方の側方支持部と反対側に配置されると共に、前記一方の側方支持部に沿って延びる第一補強部と、前記第一補強部の長手方向の一端側から前記一対の側方支持部の対向方向に沿って延びる第二補強部とを有する平面視にてＬ字状に形成され、
前記第二補強部材は、前記他方の側方支持部に対する前記一方の側方支持部と反対側に配置されると共に、前記第一補強部材の長手方向に前記第二補強部と離間し、且つ、前記第二補強部の長手方向に沿って延びている、
付記２２に記載の電子機器のシャーシ。
（付記２４）
前記第一補強部は、前記一方の側方支持部と離間して設けられ、
前記第一補強部には、前記一方の側方支持部に向けて延出されて前記一方の側方支持部を支持する延出部が形成されている、
付記２３に記載の電子機器のシャーシ。
（付記２５）
前記第一補強部には、前記第一補強部の長手方向に離間する複数の箇所に前記延出部が形成されている、
付記２４に記載の電子機器のシャーシ。
（付記２６）
前記ヒンジ固定用パネル、前記一方の側方支持部、及び、前記第一補強部は、ケーブルを覆うシールド部を形成している、
付記２３〜付記２５のいずれか一項に記載の電子機器のシャーシ。
（付記２７）
前記一対の側方支持部の一方には、前記ユニットを前記一対の側方支持部の他方の側に弾性支持する第一バネ部が形成され、
前記一対の側方支持部の他方には、前記ユニットを前記一対の側方支持部の一方の側に弾性支持する第二バネ部が形成されている、
付記１９〜付記２６のいずれか一項に記載の電子機器のシャーシ。
（付記２８）
前記一対の側方支持部の一方の側は、前記電子機器が正規の状態で設置された場合の鉛直方向下側とされ、
前記他方の側方支持部に対する前記第二バネ部の突出高さは、前記一方の側方支持部に対する前記第一バネ部の突出高さに比して高くなっている、
付記２７に記載の電子機器のシャーシ。
【符号の説明】
【００６２】
１０  電子機器
１５  スタンド
２０  シャーシ
２３  ハードディスクドライブユニット／ＨＤＤユニット（ユニットの一例）
２４  シャーシ本体
２８  ヒンジパネル
３０  ヒンジ固定用パネル
３２  搭載領域
３４  一方の側方支持部
３６  他方の側方支持部
３８，４０  切欠部
４２  第一バネ部
４４  第二バネ部
５２  第一補強部材（補強部材の一例）
５４  第二補強部材
６０  第一補強部
６２  第二補強部
６８  延出部
８４，８６  防振ゴム（防振部材の一例）
９２  筐体
１０６  防振スポンジ（弾性部材の一例）
１０８  ケーブル
１１０  開口部
１１２  シールド部
【図１】
2014211932.tif 000003
【図２】
2014211932.tif 000004
【図３】
2014211932.tif 000005
【図４】
2014211932.tif 000006
【図５】
2014211932.tif 000007
【図６】
2014211932.tif 000008
【図７】
2014211932.tif 000009